(57)【要約】【課題】  受信しようとする階層における現在の受信状況について、受信可能又は受信不能の２値的な情報ではなく、連続的な値により示される受信感度情報を提供することができるデジタル放送受信装置を提供する。【解決手段】  デジタル放送受信装置１０は、アンテナ部１００でデジタル放送電波を受信した後、チューナ部１０１で特定の周波数を取得し復調部１０２に供給する。復調部１０２で取得された周波数帯の信号を復調した後、ＤＥＭＵＸ部１０３において、多重化されたＴＳから映像音声ＥＳおよびＰＳＩ情報を取得する。ＡＶプロセッサ部１０４は、取得された映像音声の制御を行い、出力装置１０７にて受信状態表示発生部１０５で生成した情報を実際にユーザに表示する。【選択図】  図１
2008283357.tif 000002
【特許請求の範囲】
【請求項１】
デジタル放送の受信感度パラメータを検出し、前記受信感度パラメータに基づいた受信感度情報を表示するよう構成したデジタル放送受信装置であって、
選択された周波数チャンネルにロックしたか否かを検出し、ＴＭＣＣ（Transmission and Multiplexing Configuration Control）情報を取得する手段と、
前記取得したＴＭＣＣ情報より前記デジタル放送が伝送されている階層を取得する手段と、
前記取得した階層に応じたＣ／Ｎ（Carrier to Noise ratio）を取得する手段と、
前記取得した階層に応じたＢＥＲ（Bit Error Rate）を取得する手段と、
前記取得したＣ／Ｎに応じたＣ／Ｎ受信感度情報を算出する手段と、
前記取得したＢＥＲに応じたＢＥＲ受信感度情報を算出する手段と、
前記Ｃ／Ｎ受信感度情報及びＢＥＲ受信感度情報を表示する表示出力手段と、
を有し、
前記表示出力手段は、前記Ｃ／Ｎ受信感度情報及びＢＥＲ受信感度情報を連続的な値により表示することを特徴とするデジタル放送受信装置。
【請求項２】
前記表示出力手段は、前記Ｃ／Ｎ受信感度情報及びＢＥＲ受信感度情報のいずれか１つを横軸にとり表示すると共に、他の１つを前記表示した横軸上にその受信感度に応じた表示形態としたグラフ図として表示することを特徴とする請求項１に記載のデジタル放送受信装置。
【請求項３】
前記表示出力手段は、前記Ｃ／Ｎ受信感度情報と前記ＢＥＲ受信感度情報とを２軸にとった２次元グラフ図として表示することを特徴とする請求項１に記載のデジタル放送受信装置。
【請求項４】
前記表示出力手段は、前記ＢＥＲ受信感度情報を表示する際、前記ＢＥＲの値が前記デジタル放送を表示するか否かの閾値より高い値を表示の閾値とし、前記表示の閾値により表示の形態を変更して表示することを特徴とする請求項１乃至３に記載のデジタル放送受信装置。
【請求項５】
デジタル放送の受信感度パラメータを検出し、前記受信感度パラメータに基づいた受信感度情報を表示するデジタル放送受信装置の表示方法であって、
選択された周波数チャンネルにロックしたか否かを検出し、ＴＭＣＣ（Transmission and Multiplexing Configuration Control）情報を取得するステップと、
前記取得したＴＭＣＣ情報より前記デジタル放送が伝送されている階層を取得するステップと、
前記取得した階層に応じたＣ／Ｎ（Carrier to Noise ratio）を取得するステップと、
前記取得した階層に応じたＢＥＲ（Bit Error Rate）を取得するステップと、
前記取得したＣ／Ｎに応じたＣ／Ｎ受信感度情報を算出するステップと、
前記取得したＢＥＲに応じたＢＥＲ受信感度情報を算出するステップと、
前記Ｃ／Ｎ受信感度情報及びＢＥＲ受信感度情報を表示する表示出力ステップと、
を有し、
前記表示出力ステップは、前記Ｃ／Ｎ受信感度情報及びＢＥＲ受信感度情報を連続的な値により表示することを特徴とするデジタル放送受信装置の表示方法。
【請求項６】
前記表示出力ステップは、前記Ｃ／Ｎ受信感度情報及びＢＥＲ受信感度情報のいずれか１つを横軸にとり表示すると共に、他の１つを前記表示した横軸上にその受信感度に応じた表示形態としたグラフ図として表示することを特徴とする請求項５に記載のデジタル放送受信装置の表示方法。
【請求項７】
前記表示出力ステップは、前記Ｃ／Ｎ受信感度情報と前記ＢＥＲ受信感度情報とを２軸にとった２次元グラフ図として表示することを特徴とする請求項５に記載のデジタル放送受信装置の表示方法。
【請求項８】
前記表示出力ステップは、前記ＢＥＲ受信感度情報を表示する際、前記ＢＥＲの値が前記デジタル放送を表示するか否かの閾値より高い値を表示の閾値とし、前記表示の閾値により表示の形態を変更して表示することを特徴とする請求項５乃至７に記載のデジタル放送受信装置の表示方法。
【発明の詳細な説明】
【技術分野】
【０００１】
本発明は、デジタル放送を受信するデジタル放送受信装置及びデジタル放送受信装置の表示方法に係り、特に受信状態の良否等を表示することができるデジタル放送受信装置及びデジタル放送受信装置の表示方法に関する。
【背景技術】
【０００２】
従来、アナログ放送の場合は、受信状態が悪化するにつれて除々にノイズが入りだし、ユーザにおいては、アンテナの感度が悪くなっていることを感覚的に実感できた。これに対し、デジタル放送ではある一定の電界強度になった途端、映像が出力されなくなる場合があるため、デジタル放送受信装置の受信状態を表示するために、チューナのAGC電圧を利用して受信信号のレベルを表示する方法が知られている。
【０００３】
また、伝送多重方式信号（Ｔｒａｎｓｍｉｓｓｉｏｎ ａｎｄ Ｍｕｌｔｉｐｌｅｘｉｎｇ Ｃｏｎｆｉｇｕｒａｔｉｏｎ Ｃｏｎｔｒｏｌ）より取得できる各種変調方式の情報をもとに、現在の受信状態が、夫々の階層の受信レベルの限界値に対して現在どの程度の状態にあるかを対比して表示することができるデジタル放送受信装置が提案されている（例えば、特許文献１参照）。
【０００４】
さらに、デジタル放送受信装置の受信状態を表示するために、Ｃ／Ｎ（Carrier to Noise ratio）と受信電力とを２次元表示するようにしたデジタル放送受信装置が提案されている（例えば、特許文献２参照）。
【０００５】
さらにまた、デジタル放送受信装置の受信状態を表示するために、サービスID情報から視聴中の階層を判別してその階層のＢＥＲ（Bit Error Rate）を表示するようにしたデジタル放送受信装置が提案されている（例えば、特許文献３参照）。そして、Ｃ／Ｎの値に応じて、ＢＥＲを使用するか、Ｃ／Ｎを用いるかを選択するようにしている。
【０００６】
【特許文献１】特開２００１−３５９００８号公報
【特許文献２】特開２００４−１８０２７１号公報
【特許文献３】特開２００５−６０６５号公報
【発明の開示】
【発明が解決しようとする課題】
【０００７】
ところで、上述の各特許文献においては、それぞれデジタル放送受信装置の受信状態を表示するための方法が開示されているが、ユーザが受信しようとする階層においてユーザが放送を受信できない場合に、現在の受信状態が悪化したことが原因か、他の要因があるのかといったことを判断することは困難であるという問題があった。
【０００８】
また、各階層の受信レベルに対してどの程度の状態かは確認できるものの、実際に映らなくなった原因までは判断がしにくいという問題があった。
【０００９】
本発明は、以上の点に鑑みなされたもので、受信しようとする階層における現在の受信状況について、受信可能又は受信不能の２値的な情報ではなく、連続的な値により示される受信感度情報を提供することができるデジタル放送受信装置及びデジタル放送受信装置の表示方法を提供することを目的とする。
また、本発明は、視聴者が受信に好適な環境を検索するための情報を表示することができるデジタル放送受信装置及びデジタル放送受信装置の表示方法を提供することを目的とする。
【課題を解決するための手段】
【００１０】
本発明は、上記課題を解決するために、以下１）〜８）に記載の手段よりなる。
すなわち、
１）デジタル放送の受信感度パラメータを検出し、前記受信感度パラメータに基づいた受信感度情報を表示するよう構成したデジタル放送受信装置であって、
選択された周波数チャンネルにロックしたか否かを検出し、ＴＭＣＣ（Transmission and Multiplexing Configuration Control）情報を取得する手段と、
前記取得したＴＭＣＣ情報より前記デジタル放送が伝送されている階層を取得する手段と、
前記取得した階層に応じたＣ／Ｎ（Carrier to Noise ratio）を取得する手段と、
前記取得した階層に応じたＢＥＲ（Bit Error Rate）を取得する手段と、
前記取得したＣ／Ｎに応じたＣ／Ｎ受信感度情報を算出する手段と、
前記取得したＢＥＲに応じたＢＥＲ受信感度情報を算出する手段と、
前記Ｃ／Ｎ受信感度情報及びＢＥＲ受信感度情報を表示する表示出力手段と、
を有し、
前記表示出力手段は、前記Ｃ／Ｎ受信感度情報及びＢＥＲ受信感度情報を連続的な値により表示することを特徴とするデジタル放送受信装置。
２）前記表示出力手段は、前記Ｃ／Ｎ受信感度情報及びＢＥＲ受信感度情報のいずれか１つを横軸にとり表示すると共に、他の１つを前記表示した横軸上にその受信感度に応じた表示形態としたグラフ図として表示することを特徴とする１）に記載のデジタル放送受信装置。
３）前記表示出力手段は、前記Ｃ／Ｎ受信感度情報と前記ＢＥＲ受信感度情報とを２軸にとった２次元グラフ図として表示することを特徴とする１）に記載のデジタル放送受信装置。
４）前記表示出力手段は、前記ＢＥＲ受信感度情報を表示する際、前記ＢＥＲの値が前記デジタル放送を表示するか否かの閾値より高い値を表示の閾値とし、前記表示の閾値により表示の形態を変更して表示することを特徴とする請求項１乃至３に記載のデジタル放送受信装置。
５）デジタル放送の受信感度パラメータを検出し、前記受信感度パラメータに基づいた受信感度情報を表示するデジタル放送受信装置の表示方法であって、
選択された周波数チャンネルにロックしたか否かを検出し、ＴＭＣＣ（Transmission and Multiplexing Configuration Control）情報を取得するステップと、
前記取得したＴＭＣＣ情報より前記デジタル放送が伝送されている階層を取得するステップと、
前記取得した階層に応じたＣ／Ｎ（Carrier to Noise ratio）を取得するステップと、
前記取得した階層に応じたＢＥＲ（Bit Error Rate）を取得するステップと、
前記取得したＣ／Ｎに応じたＣ／Ｎ受信感度情報を算出するステップと、
前記取得したＢＥＲに応じたＢＥＲ受信感度情報を算出するステップと、
前記Ｃ／Ｎ受信感度情報及びＢＥＲ受信感度情報を表示する表示出力ステップと、
を有し、
前記表示出力ステップは、前記Ｃ／Ｎ受信感度情報及びＢＥＲ受信感度情報を連続的な値により表示することを特徴とするデジタル放送受信装置の表示方法。
６）前記表示出力ステップは、前記Ｃ／Ｎ受信感度情報及びＢＥＲ受信感度情報のいずれか１つを横軸にとり表示すると共に、他の１つを前記表示した横軸上にその受信感度に応じた表示形態としたグラフ図として表示することを特徴とする５）に記載のデジタル放送受信装置の表示方法。
７）前記表示出力ステップは、前記Ｃ／Ｎ受信感度情報と前記ＢＥＲ受信感度情報とを２軸にとった２次元グラフ図として表示することを特徴とする５）に記載のデジタル放送受信装置の表示方法。
８）前記表示出力ステップは、前記ＢＥＲ受信感度情報を表示する際、前記ＢＥＲの値が前記デジタル放送を表示するか否かの閾値より高い値を表示の閾値とし、前記表示の閾値により表示の形態を変更して表示することを特徴とする５）乃至７）に記載のデジタル放送受信装置の表示方法。
【発明の効果】
【００１１】
本発明のデジタル放送受信装置及びデジタル放送受信装置の表示方法によれば、ユーザは現在の受信環境下における受信感度情報を把握することが可能となり、映像が映らなくなった原因が視聴している放送の受信感度の劣化によるものかどうかという点について理解しやすくなり利便性が向上する。
また、ユーザは、連続的な受信感度パラメータが表示され、受信に好適な環境を検索するための情報が報知されるので、受信に好適な環境を効果的に検索することが可能となるデジタル放送受信装置及びデジタル放送受信装置の表示方法を提供することができる。
【発明を実施するための最良の形態】
【００１２】
以下、本発明に係るデジタル放送受信装置及びデジタル放送受信装置の表示方法を実施するための最良の形態につき、好ましい実施例により説明する。
＜実施例１＞
【００１３】
図１に、実施例１に適用されるデジタル放送受信装置の構成の一例を示す。同図に示すようにデジタル放送受信装置１０は、アンテナ部１００、特定の周波数を取得するチューナ部１０１、取得された周波数帯の信号を復調する復調部１０２、多重化されたＴＳから映像音声ＥＳおよびＰＳＩ（ Program Specific Information）情報を取得するＤＥＭＵＸ部１０３、映像音声などを制御するＡＶプロセッサ部１０４、受信状態表示を生成する受信状態表示発生部１０５、CPU１０６、受信状態表示発生部で生成した情報を実際にユーザに表示する出力装置１０７から構成されている。
【００１４】
同図に示すようにデジタル放送受信装置１０は、アンテナ部１００でデジタル放送電波を受信した後、チューナ部１０１で特定の周波数を取得し復調部１０２に供給する。復調部１０２で取得された周波数帯の信号を復調した後、ＤＥＭＵＸ部１０３において、多重化されたＴＳから映像音声ＥＳおよびＰＳＩ情報を取得する。ＡＶプロセッサ部１０４は、取得された映像音声の制御を行い、出力装置１０７にて受信状態表示発生部１０５で生成した情報を実際にユーザに表示する。ＣＰＵ１０６は、上述の各ブロックとシステムバス１０８で接続されており、各部の制御を行う。
【００１５】
実施例１に適用されるデジタル放送受信装置の動作の一例を示すフローチャートを図２に示す。地上デジタル放送を例に説明する。図２の初期状態としてチューナ部及び復調部においては、どの周波数も選択されていないものとする。まずチューナ部及び復調部を動作させ（Ｓ２００）、同期をとることを試みる。その後同期の確立及びＴＭＣＣ情報の取得を確認する（Ｓ２０１）。
【００１６】
この時、同期が確立されていない、若しくはＴＭＣＣ情報が取得できなかった場合は、図６に示すようなＣ／Ｎの表示枠に対してＣ／Ｎが表示されていない情報、及び当然にＢＥＲが表示されていない情報を表示装置に出力する（Ｓ２０９）。
【００１７】
同期確立／ＴＭＣＣ情報取得が確認できた場合、視聴しようとしているサービス型（固定受信サービスor 移動受信サービス or 部分受信サービス）が伝送されている階層を特定する（Ｓ２０２）。この際にはＴＭＣＣ情報より、幾つの階層が伝送されているのかといった情報や各階層のセグメント数及び伝送されている階層数をもとに特定する。この処理により全ての階層のＢＥＲを取得する必要がなくなる。その後特定した階層のＢＥＲ及びＣ／Ｎを取得する（Ｓ２０３，Ｓ２０４）。
【００１８】
この処理で取得したＢＥＲの情報を基に、ユーザに対し視聴中の階層における電波状況の情報提供を行う。まず手順Ｓ２０３で取得したＢＥＲによって処理を分岐させる（Ｓ２０５）。ＢＥＲ値が映像表示に耐え得るには難しい値であった場合は、図５に示すように、横軸のＣ／Ｎ値の表示枠に対応した表示領域上に、例えば感覚的に分かりやすいよう赤色で表示させた情報を表示装置に出力する（Ｓ２０６）。
【００１９】
また、ＢＥＲ値が若干ブロックノイズを発生することが予想される値であった場合は、図４に示すように、横軸のＣ／Ｎの表示枠に対応した表示領域上に、図５とは異なる黄色で表示させた情報を表示装置に出力する（Ｓ２０７）。
【００２０】
最後にＢＥＲ値が十分良好な値であった場合は、図３に示すように、横軸のＣ／Ｎの表示枠に対応した表示領域上に、図４，５とは異なり、例えば感覚的に分かりやすいよう緑色で表示させた情報を表示装置に出力する（Ｓ２０８）。
【００２１】
この際の表示色をわける閾値については、図７に例を示すように、実際に映像をMUTEするＢＥＲより高ければ赤、ＭＵＴＥするＢＥＲとＭＵＴＥを解除するＢＥＲの間であれば黄色、ＭＵＴＥを解除するＢＥＲより低ければ緑とする。これは説明を分かりやすくするため、レベル表示の先頭がこの範囲にあるときに、レベル表示部の全体が、各領域に示す色となる状態を示している。なお、色分けはこの組み合わせに限定されるものではなく、また、図３〜５のように閾値より高いか低いかで１色で表示する構成であっても、図７に示したような３色で表示するよう構成してもよい。さらに多色で表示するよう構成してもよい。
【００２２】
ユーザは図３、図４、図５、図６に示したＢＥＲ値によって色分けされた映像の表示品質を含む情報により、容易に映像が映らなくなった原因が、受信環境の悪化によるものかどうかというものが判別できるようになる。また、同時に表示されるＣ／Ｎの値によって、アンテナの向きが悪いかどうかなどの情報も取得できるようになる。
【００２３】
例えば、Ｃ／Ｎは十分な値を示しているにも関わらず、ＢＥＲを示す表示が赤だった場合は、ブースター等の機器を接続することにより、映像が表示されるようになる可能性が高い。逆に、Ｃ／Ｎが低く、ＢＥＲ表示も赤を示していた場合には、反射波等の影響により雑音が増えている可能性が高い。このような場合には、アンテナの向き等を調節することにより、映像が表示されるようになる可能性が高い。なお、他のデジタル放送でも同様に、階層を認識してその階層でのＣ／Ｎ、ＢＥＲを取得する。例えば、ＢＳ／ＣＳデジタル時は、必ず高階層の映像をまず表示させ、表示できない場合は低階層への自動切換えを行い、受信機側で高階層／低階層を認識するようにする。
【００２４】
従って、一例として次のような表示をユーザに報知するようにする。
Ｃ／Ｎ悪  ＢＥＲ  悪  ：電界強度が悪いようです。アンテナの向きを調節してください。
Ｃ／Ｎ良  ＢＥＲ  悪  ：ブースター等をアンテナの間に接続してください。
＜実施例２＞
【００２５】
上述の実施例1における表示方法を変更して構成した実施例２について説明する。実施例２においも、実施例1と同様の手法を用いて、視聴ＥＳを伝送している階層のＢＥＲ、及びＣ／Ｎを取得する。図８〜図１２に示すように縦軸にＢＥＲ、横軸にＣ／Ｎをとり、情報を表示するものである。
【００２６】
視聴ＥＳを伝送している階層のＢＥＲ、及びＣ／Ｎを取得後、ＢＥＲ値が映像表示に耐え得るには難しい値であった場合は、図１０に示すようにＢＥＲ及びＣ／Ｎのそれぞれの受信限界から小さい値での表示領域となり、例えば感覚的に分かりやすいよう赤色で表示させた情報を表示装置に出力する。この図の中における点線は、ＢＥＲ及びＣ／Ｎのそれぞれの受信限界値を示すものである。
【００２７】
同様にして、ＢＥＲ値が若干ブロックノイズを発生することが予想される値であった場合は、図９に示すようにＢＥＲ及びＣ／Ｎのそれぞれの受信限界付近での表示領域となり、例えば感覚的に分かりやすいよう黄色で表示させた情報を表示装置に出力する。
【００２８】
ＢＥＲ値が十分良好な値であった場合は、図８に示すようにＢＥＲ及びＣ／Ｎのそれぞれの受信限界から大きい値の表示領域となり、例えば感覚的に分かりやすいよう緑色で表示させた情報を表示装置に出力する。
【００２９】
また、同期確立ができなかった場合は、図１１に示すように、ＢＥＲ及びＣ／Ｎの表示がなく、表示枠のみの情報を表示装置に出力する。
【００３０】
実施例２における実際の色分けの一例を図１２に示す。この際の表示色をわける閾値については、同図に例を示すように、実際に映像をＭＵＴＥするＢＥＲより高ければ、及びＣ／Ｎより低ければ赤、ＭＵＴＥするＢＥＲ及びＣ／ＮとＭＵＴＥを解除するＢＥＲ及びＣ／Ｎの間であれば黄色、ＭＵＴＥを解除するＢＥＲより低ければ、及びＣ／Ｎより高ければ緑とする。これは説明を分かりやすくするため、レベル表示の先頭がこの範囲にあるときに、レベル表示部の全体が、各領域に示す色となる状態を示している。なお、色分けはこの組み合わせに限定されるものではなく、また、図８〜１０のように閾値より高いか低いかで１色で表示する構成であっても、図１２に示したような３色で表示するよう構成してもよい。さらに、多色で表示するよう構成してもよい。
＜実施例３＞
【００３１】
上述の実施例1における色分けの閾値を変更して構成した実施例３について図６を用いて説明する。実施例1と同様の手法をとって、視聴ＥＳを伝送している階層のＢＥＲ、及びＣ／Ｎを取得し、各情報を表示する。この際の色分けの手法として、ＭＵＴＥをかけるレベル、ＭＵＴＥを解除するレベルという形でわけるのではなく、中間地点（黄色で表示させる部分）に幾らかのマージンを持たせる方法を取るものである。ここで示したように、色分けの閾値については特に制限を設けない。
【００３２】
実際にＭＵＴＥレベル／ＭＵＴＥ解除レベルの間のみを黄色としてしまうと、間隔としてごく僅かなものになってしまう。
そこでこのようにＭＵＴＥをかけるレベル、ＭＵＴＥを解除するレベルという形でわけるのではなく、中間地点（黄色で表示させる部分）に幾らかのマージンを持たせる表示させることによって、赤を表示しているにも関わらず映像が表示されているといった現象や、緑を表示させている最中に映像が表示されないといった現象を起こしにくくすることが可能となり、ユーザの利便性が向上する。
【図面の簡単な説明】
【００３３】
【図１】各実施例に適用されるデジタル放送受信装置の構成の一例を示す図である。
【図２】実施例１に適用されるデジタル放送受信装置の動作の一例を示すフローチャートである。
【図３】実施例１に適用される表示の一例を示した図である。
【図４】実施例１に適用される表示の一例を示した図である。
【図５】実施例１に適用される表示の一例を示した図である。
【図６】実施例１に適用される表示の一例を示した図である。
【図７】実施例１に適用される表示の色分けの一例を示した図である。
【図８】実施例２に適用される表示の一例を示した図である。
【図９】実施例２に適用される表示の一例を示した図である。
【図１０】実施例２に適用される表示の一例を示した図である。
【図１１】実施例２に適用される表示の一例を示した図である。
【図１２】実施例２に適用される表示の色分けの一例を示した図である。
【図１３】実施例３に適用される表示の色分けの一例を示した図である。
【符号の説明】
【００３４】
１０…デジタル放送受信装置
１００…アンテナ部
１０１…チューナ部１０１
１０２…復調部
１０３…DEMUX部
１０４…ＡＶプロセッサ部
１０５…受信状態表示発生部
１０６…CPU
１０７…出力装置
１０８…システムバス
【図１】
2008283357.tif 000003
【図２】
2008283357.tif 000004
【図３】
2008283357.tif 000005
【図４】
2008283357.tif 000006
【図５】
2008283357.tif 000007
【図６】
2008283357.tif 000008
【図７】
2008283357.tif 000009
【図８】
2008283357.tif 000010
【図９】
2008283357.tif 000011
【図１０】
2008283357.tif 000012
【図１１】
2008283357.tif 000013
【図１２】
2008283357.tif 000014
【図１３】
2008283357.tif 000015